Podtech/llm-jp-corpus-v4-ja_patent huggingface dataset:
【手続補正書】
【提出日】令和3年11月30日(2021.11.30)
【手続補正１】
【補正対象書類名】特許請求の範囲
【補正対象項目名】全文
【補正方法】変更
【補正の内容】
【特許請求の範囲】
【請求項１】
第１の高転写効率塗布器及び第２の高転写効率塗布器を利用して第１の被覆組成物及び第２の被覆組成物を塗布する方法であって、
前記第１の高転写効率塗布器が、第１のノズルオリフィスを定める第１のノズルを含み、前記第２の高転写効率塗布器が、第２のノズルオリフィスを定める第２のノズルを含み、
前記方法が、
標的区域を定める基板を提供するステップと、
前記第１のノズルオリフィスを通って前記基板の標的区域に前記第１の被覆組成物を塗布して第１の被覆層を形成するステップと、
前記第２のノズルオリフィスを通って前記基板の標的区域に前記第２の被覆組成物を塗布して第２の被覆層を形成するするステップと、を含み、
前記第１の被覆組成物が、ＡＳＴＭ  Ｄ２３６９に従って測定したときに前記第１の被覆組成物の総重量に基づいて約１５〜約７０重量％の固形分を有し、前記第１の被覆組成物が、キャリアと、前記第１の被覆組成物の総重量に基づいて１５〜約７０重量パーセントの量で存在するバインダと、前記第１の被覆組成物の総重量に基づいて約１〜約２０重量パーセントの量で存在する架橋剤と、を含み、
前記第１の被覆組成物は、１０００ｓｅｃ−１の剪断速度で円錐平板又は平行板を用いてＡＳＴＭ７８６７−１３に従って測定されたときに約０．００２Ｐａ＊ｓ〜約０．２Ｐａ＊ｓの粘度を有する、
ことを特徴とする方法。
【請求項２】
前記第１の被覆組成物は、ベースコート被覆組成物を含み、前記第２の被覆組成物は、クリアコート被覆組成物を含む、
請求項１に記載の方法。
【請求項３】
前記第２の被覆層は前記バインダと反応する架橋剤を含み、又は前記第２の被覆組成物が前記架橋剤と反応するバインダを含む、
請求項１又は２に記載の方法。
【請求項４】
前記第２の被覆組成物が、
キャリアと、
バインダと、を含み、
前記第１及び第２の被覆組成物は、独立して、約０．０１〜約１２．６のオーネゾルゲ数（Ｏｈ）を有し、
前記第１及び第２の被覆組成物は、独立して、約０．０２〜約６，２００のレイノルズ数（Ｒｅ）を有し、
前記第１及び第２の被覆組成物は、独立して、０よりも大きく約１７３０までのデボラ数（Ｄｅ）を有する、
請求項１又は２に記載の方法。
【請求項５】
前記オーネゾルゲ数（Ｏｈ）は、０．０１〜約１２．６であり、前記レイノルズ数（Ｒｅ）を考慮して以下の式Ｖ及びＶＩ：
Ｏｈは１０＾（−０．５００６＊ｌｏｇ（Ｒｅ）＋１．２１３５）以下      （Ｖ）、
及び
Ｏｈは少なくとも０＾（−０．５４３５＊ｌｏｇ（Ｒｅ）−１．０３２４）      （ＶＩ）、
に基づいて定められ、
前記レイノルズ数（Ｒｅ）は０．０２〜６，２００である、
請求項４に記載の方法。
【手続補正書】
【提出日】令和3年11月30日(2021.11.30)
【手続補正１】
【補正対象書類名】特許請求の範囲
【補正対象項目名】全文
【補正方法】変更
【補正の内容】
【特許請求の範囲】
【請求項１】
高転写効率塗布器を利用して基板に被覆組成物を塗布するためのシステムであって、
適合プロトコルを実施する命令を記憶するための記憶デバイスと、
１又は２以上のデータプロセッサであって、命令を実行して、
電子撮像デバイスによって生成された標的被覆の標的画像を１又は２以上のデータプロセッサによって受け取って、
適合プロトコルに前記標的画像データを適用して、塗布命令を生成する、
ように構成される１又は２以上のデータプロセッサと、
約０．００００２ｍ〜約０．０００４ｍのノズル直径を有するノズルオリフィスを定めるノズルを含む高転写効率塗布器と、
前記高転写効率塗布器と流体連通状態にあり、前記被覆組成物を含有するように構成されたリザーバと、
を備え、
前記高転写効率塗布器は、前記リザーバから前記被覆組成物を受け取るように構成され、前記ノズルオリフィスを通って前記基板に前記被覆組成物を放出して被覆層を形成するように構成され、
前記高転写効率塗布器は、前記塗布命令に基づいて前記被覆組成物を放出するように構成され、
前記被覆組成物が、ＡＳＴＭ  Ｄ２３６９に従って測定したときに前記被覆組成物の総重量に基づいて約１５〜約７０重量％の固形分を有し、前記被覆組成物が、キャリアと、前記被覆組成物の総重量に基づいて１５〜約７０重量パーセントの量で存在するバインダと、前記被覆組成物の総重量に基づいて約１〜約２０重量パーセントの量で存在する架橋剤と、を含み、
前記被覆組成物は、１０００ｓｅｃ−１の剪断速度で円錐平板又は平行板を用いてＡＳＴＭ７８６７−１３に従って測定されたときに約０．００２Ｐａ＊ｓ〜約０．２Ｐａ＊ｓの粘度を有する、システム。
【請求項２】
前記被覆組成物は、約０．０１〜約１２．６のオーネゾルゲ数（Ｏｈ）を有し、前記被覆組成物は、約０．０２〜約６，２００のレイノルズ数（Ｒｅ）を有し、及び前記被覆組成物は、０よりも大きく約１７３０までのデボラ数（Ｄｅ）を有する、
請求項１に記載のシステム。
【請求項３】
前記オーネゾルゲ数（Ｏｈ）は、０．０１〜約１２．６であり、前記レイノルズ数（Ｒｅ）を考慮して以下の式Ｖ及びＶＩ：
Ｏｈは１０＾（−０．５００６＊ｌｏｇ（Ｒｅ）＋１．２１３５）以下      （Ｖ）、
及び
Ｏｈは少なくとも１０＾（−０．５４３５＊ｌｏｇ（Ｒｅ）−１．０３２４）      （ＶＩ）、
に基づいて定められ、前記レイノルズ数（Ｒｅ）は０．０２〜６，２００である、
請求項２に記載のシステム。
【請求項４】
前記被覆組成物は、約０．０５〜約１．８のオーネゾルゲ数（Ｏｈ）を有し、前記被覆組成物は、約０．３〜約６６０のレイノルズ数（Ｒｅ）を有し、及び前記被覆組成物は、０よりも大きく約４６までのデボラ数（Ｄｅ）を有する、
請求項２に記載のシステム。
【請求項５】
前記オーネゾルゲ数（Ｏｈ）は、０．０５〜１．８であり、前記レイノルズ数（Ｒｅ）を考慮して以下の式ＶＩＩ及びＶＩＩＩ：
Ｏｈは１０＾（−０．５０６７＊ｌｏｇ（Ｒｅ）＋０．７０６）以下      （ＶＩＩ）、及び
Ｏｈは少なくとも１０＾（−０．５７２４＊ｌｏｇ（Ｒｅ）−０．４８７６）      （ＶＩＩＩ）、
に基づいて定められ、前記レイノルズ数（Ｒｅ）は０．３〜６６０である、
請求項４に記載のシステム。
【手続補正書】
【提出日】令和3年11月30日(2021.11.30)
【手続補正１】
【補正対象書類名】特許請求の範囲
【補正対象項目名】全文
【補正方法】変更
【補正の内容】
【特許請求の範囲】
【請求項１】
第１の高転写効率塗布器、第２の高転写効率塗布器及び第３の高転写効率塗布器を利用して第１の被覆組成物、第２の被覆組成物、及び第３の被覆組成物を塗布する方法であって、
前記第１の高転写効率塗布器が、第１のノズルオリフィスを定める第１のノズルを含み、前記第２の高転写効率塗布器が、第２のノズルオリフィスを定める第２のノズルを含み、及び第３の高転写効率塗布器が、第３のノズルオリフィスを定める第３のノズルを含み、
前記方法が、
標的区域を定める基板を提供するステップと、
前記第１のノズルオリフィスを通って前記基板の標的区域に前記第１の被覆組成物を塗布するステップと、
前記第２のノズルオリフィスを通って前記基板の標的区域に前記第２の被覆組成物を塗布するステップと、
前記第３のノズルオリフィスを通って前記基板の標的区域に前記第３の被覆組成物を塗布するステップと、を含み、
前記第１の被覆組成物が、ＡＳＴＭ  Ｄ２３６９に従って測定したときに前記第１の被覆組成物の総重量に基づいて約１５〜約７０重量％の固形分を有し、前記第１の被覆組成物が、キャリアと、前記第１の被覆組成物の総重量に基づいて１５〜約７０重量パーセントの量で存在するバインダと、前記第１の被覆組成物の総重量に基づいて約１〜約２０重量パーセントの量で存在する架橋剤と、を含み、
前記第１の被覆組成物は、１０００ｓｅｃ−１の剪断速度で円錐平板又は平行板を用いてＡＳＴＭ７８６７−１３に従って測定されたときに約０．００２Ｐａ＊ｓ〜約０．２Ｐａ＊ｓの粘度を有する、
ことを特徴とする方法。
【請求項２】
前記第１の被覆組成物は第１の色空間を示し、前記第２の被覆組成物は第２の色空間を示し、及び前記第３の被覆組成物は第３の色空間を示す、
請求項１に記載の方法。
【請求項３】
前記第１の色空間はＣＭＹＫ色モデルによるシアン色空間を含み、前記第２の色空間はＣＭＹＫ色モデルによるマゼンタ色空間を含み、及び前記第３の色空間はＣＭＹＫ色モデルによるイエロー色空間を含む、
請求項２に記載の方法。
【請求項４】
前記第１の色空間はＲＧＢ色モデルによるレッド色空間を含み、前記第２の色空間はＲＧＢ色モデルによるグリーン色空間を含み、及び前記第３の色空間はＲＧＢ色モデルによるブルー色空間を含む、
請求項２に記載の方法。
【請求項５】
前記第１の被覆組成物、前記第２の被覆組成物、及び前記第３の被覆組成物のうちの１又は２以上は、前記第１の色空間、前記第２の色空間、及び前記第３の色空間と異なる色空間を生成するために、別の前記第１の被覆組成物、前記第２の被覆組成物、及び前記第３の被覆組成物上に放出される、
請求項２〜４のいずれか１項に記載の方法。
【手続補正書】
【提出日】令和3年12月1日(2021.12.1)
【手続補正１】
【補正対象書類名】特許請求の範囲
【補正対象項目名】全文
【補正方法】変更
【補正の内容】
【特許請求の範囲】
【請求項１】
−  アニオン性基を有するポリアリーレンエーテルスルホンに基づく担体膜、及び
−  一級及び／又は二級アミノ基を含むポリマーであるカチオン性ポリマー、
を含む担持膜を通して水系を濾過する工程を含む、水系からの金属イオンの除去方法。
【請求項２】
−  カルボキシレート基を有するポリアリーレンエーテルスルホンに基づく担体膜と、
−  一級及び／又は二級アミノ基を含むポリマーであるカチオン性ポリマーと、
を含む担持膜であって、
−  少なくとも１種の芳香族二ハロゲン化物（Ｍ１ａ）と、
−  少なくとも１種の芳香族ジオール（Ｍ２ａ）のジアルカリ金属塩と、
−  カルボキシレート基を有する芳香族ジオールから選択されるカルボキシルモノマー（Ｍ２ｃ）である少なくとも１種のアニオン性モノマーと、
の反応により得られる担体ポリマーに基づく担持膜。
【手続補正２】
【補正対象書類名】明細書
【補正対象項目名】０１０９
【補正方法】変更
【補正の内容】
【０１０９】
【表４】
2021505390.tif 000001
次に、本発明の態様を示す。
１.−  アニオン性基を有するポリアリーレンエーテルスルホンに基づく担体膜、及び
−  一級及び／又は二級アミノ基を含むポリマーであるカチオン性ポリマー、
を含む担持膜を通して水系を濾過する工程を含む、水系からの金属イオンの除去方法。
２.  前記カチオン性ポリマーが、ポリエチレンイミン、ポリエチレンイミン−ポリビニルアルコール、ポリ−Ｌ−リシン、ジエチルアミノエチル−デキストラン、キトサン、ポリエーテルアミン、及びビニルアミンに基づくポリマーである、上記１に記載の方法。
３.  前記アニオン性基が、スルホネート、カルボキシレート、又はホスホネート基である、上記１又は２に記載の方法。
４.  前記担持膜が、
ａ）スルホン化ポリアリーレンエーテルスルホン；
ｂ）カルボキシル化ポリアリーレンエーテルスルホン；又は
ｃ）
−  少なくとも１種の芳香族二ハロゲン化物（Ｍ１ａ）と、
−  少なくとも１種の芳香族ジオール（Ｍ２ａ）のジアルカリ金属塩と、
−  少なくとも１種のアニオン性モノマーと、
を反応させることにより得られる担体ポリマー；
に基づき、前記アニオン性モノマーは、
・スルホン化芳香族二ハロゲン化物（Ｍ１ｂ）及び／若しくはスルホン化芳香族ジオール（Ｍ２ｂ）から選択されるスルホン化モノマー、並びに／又は
・カルボキシレート基を有する芳香族ジオールから選択されるカルボキシルモノマー（Ｍ２ｃ）、
である、上記１〜３のいずれか１項に記載の方法。
５.  前記スルホン化モノマーが、一般式Ｍ１ｂ及びＭ２ｂのものである、上記４に記載の方法
2021505390.tif 000002
（式中、Ａｒは二価の芳香族残基であり、
ＨａｌはＦ、Ｃｌ、Ｂｒ、又はＩであり、
ｎ及びｍは、ｎとｍが同時に０でないことを条件として、独立して、０、１、又は２であり、
Ｍ１ａとＭ２ａのアリール基は、少なくとも１つのＣ1〜Ｃ4アルキル基を有してもよい）。
６.  前記カルボキシルモノマーが、一般式Ｍ２ｃのものである、上記４に記載の方法
2021505390.tif 000003
（式中、Ｒ1は−ＣＯ2Ｈ基を有する二価のアルキル残基である）。
７.  前記ポリアリールエーテルスルホンの繰り返し単位の０．１〜４０ｍｏｌ％、好ましくは０．３〜３０ｍｏｌ％、特には０．５〜２５ｍｏｌ％が、少なくとも１つのアニオン性基を有する、上記１〜６のいずれか１項に記載の方法。
８.  前記金属イオンが、Ｃａ、Ｍｇ、Ａｌ、Ｃｕ、Ｎｉ、Ｐｂ、Ｚｎ、Ｓｂ、Ｃｏ、Ｃｒ、Ｃｄ、Ｈｇ、Ｐｏ、Ｒａ、Ｒｎ、Ｔｈ、Ｕ、Ｐｕ、Ｓｒ、Ｃｓ、Ｐｍ、及び／又はＡｇから選択される、上記１〜７のいずれか１項に記載の方法。
９.  前記担体膜が２０，０００〜２００，０００Ｄａの分子量カットオフを有し、前記担持膜が２０，０００Ｄａ未満の分子量カットを有する、上記１〜８のいずれか１項に記載の方法。
１０.  前記担持膜が限外濾過膜である、上記１〜９のいずれか１項に記載の方法。
１１.  前記担持膜が２０〜５００ＬＭＨ／ｂａｒの純水透過性を有する、上記１〜１０のいずれか１項に記載の方法。
１２.  前記担体膜が２００〜１０００ＬＭＨ／ｂａｒの純水透過性を有する、上記１〜１１のいずれか１項に記載の方法。
１３.  前記濾過工程後に、酸化剤又は強酸を用いた処理により前記担持膜を再生する工程、及び後続のカチオン性ポリマーを用いて処理する工程を更に含む、上記１〜１２のいずれか１項に記載の方法。
１４.−  カルボキシレート基を有するポリアリーレンエーテルスルホンに基づく担体膜と、
−  一級及び／又は二級アミノ基を含むポリマーであるカチオン性ポリマーと、
を含む、上記１〜１３のいずれか１項に記載の担持膜であって、
−  少なくとも１種の芳香族二ハロゲン化物（Ｍ１ａ）と、
−  少なくとも１種の芳香族ジオール（Ｍ２ａ）のジアルカリ金属塩と、
−  カルボキシレート基を有する芳香族ジオールから選択されるカルボキシルモノマー（Ｍ２ｃ）である少なくとも１種のアニオン性モノマーと、
の反応により得られる担体ポリマーに基づく担持膜。
１５.  前記カルボキシルモノマーが一般式Ｍ２ｃのものである、上記１４に記載の担持膜
2021505390.tif 000004
（式中、Ｒ1は、−ＣＯ2Ｈ基を有する二価アルキル残基である）。
１６.  前記担持膜が限外濾過膜であり、ＰＷＰが２０〜５００ＬＭＨ／ｂａｒである、上記１４又は１５に記載の担持膜。
【手続補正書】
【提出日】令和3年12月3日(2021.12.3)
【手続補正１】
【補正対象書類名】特許請求の範囲
【補正対象項目名】全文
【補正方法】変更
【補正の内容】
【特許請求の範囲】
【請求項１】
低圧縮比を有する機械的蒸気圧縮ＭＶＣによる脱塩装置であって、潜熱交換器は、食塩水が流れることによってメニスカス（７）を形成して前記メニスカス（７）の端部から水蒸気が蒸発する構造によって少なくとも部分的に覆われた蒸発面と、毛管凝縮領域において蒸気が凝縮することによってメニスカス（８）を形成する毛管構造によって少なくとも部分的に覆われた凝縮面とを有する少なくともエバポレータ−コンデンサ管又はチャンバを備え、凝縮潜熱の放出地点と蒸発潜熱の吸収地点との間の熱経路（９）に水層が存在せず、前記潜熱交換器は、一次蒸気と二次蒸気との間の０．５℃〜０．８℃又はそれ未満の熱上昇に前記食塩水の沸点に関連する上昇をプラスした状態での凝縮及び蒸発サイクルの実行を可能にする高い包括的総潜熱伝達係数を有するように構成され、前記二次蒸気と前記一次蒸気との間の圧縮比は１．１１以下であり、前記脱塩装置は、前記熱交換器の前記蒸発面から一次蒸気を引き込み、該一次蒸気の温度及び圧力を高めて前記潜熱交換器の前記凝縮面に供給される二次蒸気を発生させるように構成された、圧縮比が１．１１以下の少なくとも１つのファンを組み込む、ことを特徴とする装置。
【請求項２】
前記脱塩される食塩水は、前記潜熱交換器の前記蒸発面に室温と同等又は同様の温度で供給される、請求項１に記載の装置。
【請求項３】
前記装置は、前記一次蒸気と前記二次蒸気との間に配置された複数のコンデンサ−エバポレータ作用又はサイクルを有する、請求項１に記載の装置。
【請求項４】
前記ファンは、風力、太陽光又は海洋エネルギーなどの再生可能な低強度エネルギー源によって駆動される、請求項１に記載の装置。
【請求項５】
前記熱交換器の前記蒸発面上に供給される前記食塩水は、海水又は汽水以外の食塩水である、請求項１に記載の装置。
【手続補正書】
【提出日】令和3年11月30日(2021.11.30)
【手続補正１】
【補正対象書類名】特許請求の範囲
【補正対象項目名】全文
【補正方法】変更
【補正の内容】
【特許請求の範囲】
【請求項１】
心筋細胞の成熟を誘導する方法であって、未成熟な心筋細胞にLet7iマイクロRNA（miRNA）の過剰発現、miR-452の過剰発現、miR-122の発現低下、及びmiR-200aの発現低下のうちの2つ以上を誘導する工程を含む、方法。
【請求項２】
未成熟な心筋細胞に、Let7iのmiRNAの過剰発現、miR-452の過剰発現、miR-122の発現低下、及びmiR-200aの発現低下のうちの3つ以上を誘導する工程を含む、請求項1の方法。
【請求項３】
未成熟な心筋細胞にLet7i miRNAの過剰発現、miR-452の過剰発現、miR-122の発現低下、及びmiR-200aの発現低下を誘導する工程を含む、請求項2の方法。
【請求項４】
過剰発現を誘導する工程は、未成熟な心筋細胞と、過剰発現させるmiRNAをコードする核酸を含むベクターとを接触させる工程を含む、請求項1〜3の1項に記載の方法。
【請求項５】
前記ベクターが、過剰発現させるmiRNAをコードする核酸の一過性の発現を促進するように構成されている、請求項4の方法。
【請求項６】
前記ベクターが、過剰発現させるmiRNAをコードする核酸が未成熟な心筋細胞のゲノムに組み込まれるように構成されたウィルスベクターである、請求項4の方法。
【請求項７】
miRNAの発現低下を誘導する工程は、未成熟な心筋細胞と、発現低下の標的のmiRNAにハイブリダイズする核酸断片、又は発現低下の標的のmiRNAにハイブリダイズする転写物をコードする核酸を含むベクターとを接触させる工程を含む、又は発現低下を誘導する工程は、ヌクレアーゼ酵素、及び前記ヌクレアーゼ酵素による発現低下の標的となるmiRNAをコードする核酸の特異的切断を促す配列を有するガイド核酸、を有する前記未成熟な心筋細胞を提供する工程を含む、請求項1〜3の1項に記載の方法。
【請求項８】
発現低下を誘導する工程が、前記miRNAをコードする遺伝子のノックアウトを実施する工程を含む、請求項1の方法。
【請求項９】
前記ベクターがウィルスベクターである、請求項7に記載の方法。
【請求項１０】
前記未成熟な心筋細胞が幹細胞に由来する、請求項1の方法。
【請求項１１】
前記幹細胞が胚性幹細胞、多能性幹細胞、又は誘導多能性幹細胞である、請求項10の方法。
【請求項１２】
前記未成熟な心筋細胞と、パルミチン酸、オレイン酸及びリノール酸から選択される2種以上の長鎖脂肪酸とを接触させる工程をさらに含む、請求項1〜11の1項の方法。
【請求項１３】
前記未成熟な心筋細胞と、グルコースとを接触させる工程をさらに含む、請求項12の方法。
【請求項１４】
前記心筋細胞が脂肪酸酸化（FAO）障害と関連している遺伝子異常を有する、請求項1〜13の1項に記載の方法。
【請求項１５】
前記心筋細胞が、HADHA、FATP1、FACS1、OCTN2、L-CPTI、M-CPT I、CAT、CPTII、VLCAD、LCAD、MCAD、SCAD、LCHAD、SHYD、M/SCHAD、SKAT、MKAT、HS、HL、ETF、及びETF QOの1つをコードする遺伝子の変異を含む、請求項14の方法。
【請求項１６】
請求項1〜15の1項に記載の方法により生産された心筋細胞。
【請求項１７】
前記心筋細胞が脂肪酸酸化（FAO）障害と関連している遺伝子異常を有する、請求項16の心筋細胞。
【請求項１８】
前記遺伝子異常が、HADHA、FATP1、FACS1、OCTN2、L-CPTI、M CPT I、CAT、CPTII、VLCAD、LCAD、MCAD、SCAD、LCHAD、SHYD、M/SCHAD、SKAT、MKAT、HS、HL、ETF、及びETF QOの1つをコードする遺伝子の変異である、請求項17の心筋細胞。
【請求項１９】
請求項16に記載の心筋細胞を含む、成熟したカルジオリピンプロファイルを有する心筋細胞の投与によって治療可能な状態を有する対象の治療用組成物。
【請求項２０】
心臓機能の調節のための化合物をスクリーニングする方法であって、
請求項16〜18の1項に記載の1つ以上の心筋細胞と候補薬剤とを接触させる工程、及び
前記1つ以上の心筋細胞における心臓機能パラメータを測定する工程、
前記心臓機能パラメータの変化が、前記候補薬剤が心臓機能を調節することを示す、方法。
【請求項２１】
対象のミトコンドリアのカルジオリピンプロファイルを安定化する、又は成熟したカルジオリピンリモデリングを促進する組成物を含む、対象におけるミトコンドリア脂肪酸酸化（FAO）障害の治療用組成物。
【請求項２２】
培養心筋細胞の病理学的状態を検出する方法であって、心筋細胞におけるカルジオリピンプロファイルを測定する工程を含み、ここで、炭素数18超のアシル鎖を有するカルジオリピンの相対的な増加、及び炭素数18未満のアシル鎖を有するカルジオリピンの相対的な減少は、心筋細胞の病理学的状態の低下を示す、方法。
【請求項２３】
培養心筋細胞の成熟を誘導するための組成物であって、Let7iマイクロRNAをコードする核酸コンストラクト、miR-452をコードする核酸コンストラクト、miR-122をコードする配列の一部にハイブリダイズするオリゴマーであるか又はコードする核酸コンストラクト、及びmiR-200aをコードする配列の一部にハイブリダイズするオリゴマーであるか又はコードする核酸コンストラクトのうちの2つ以上を含む、組成物。
【請求項２４】
前記miR-122をコードする配列の一部にハイブリダイズするオリゴマー及び前記miR-200aをコードする配列の一部にハイブリダイズするオリゴマーは、それぞれ、miR-122及びmiR-200aを切断するための遺伝子編集酵素を誘導するように構成されたガイドRNA分子である、請求項23に記載の組成物。
【請求項２５】
健康な心筋細胞と請求項17の疾病性の心筋細胞の違いを層別化する方法であって、健康な対象又は疾病を有する対象由来の心筋細胞を、パルミチン酸、オレイン酸、リノール酸から選ばれる2種類以上の長鎖脂肪酸と接触させる工程、及び前記健康な心筋細胞と前記疾病性の心筋細胞の表現型又は病理学的な違いを評価する工程を含む、方法。
【手続補正書】
【提出日】令和3年11月29日(2021.11.29)
【手続補正１】
【補正対象書類名】特許請求の範囲
【補正対象項目名】全文
【補正方法】変更
【補正の内容】
【特許請求の範囲】
【請求項１】
ａ）新たに採取した細胞を容器中に得る工程であって、前記細胞が、修飾および分泌型ワクチンタンパク質を発現する、工程と、
ｂ）前記採取した細胞を液体窒素と接触させる工程と、
ｃ）前記細胞に少なくとも１２０（Ｇｙ）の線量で電離放射線（ＩＲ）を与える工程と
を含む、細胞を保存するための方法。
【請求項２】
前記細胞を液体窒素中に貯蔵する工程をさらに含む、請求項１に記載の方法。
【請求項３】
細胞生存率を増加させる、請求項１または２に記載の方法。
【請求項４】
細胞回復を増加させる、請求項１〜３のいずれか一項に記載の方法。
【請求項５】
前記細胞にＩＲを与えることが、前記細胞を複製不能にする、請求項１〜４のいずれか一項に記載の方法。
【請求項６】
前記細胞がγ線で照射される、請求項１〜５のいずれか一項に記載の方法。
【請求項７】
γ線を与えられると前記細胞が非増殖性となる、請求項６に記載の方法。
【請求項８】
与えられるＩＲの線量が、１２５（Ｇｙ）、１３０（Ｇｙ）、１３５（Ｇｙ）、１４０（Ｇｙ）、１４５（Ｇｙ）、１５０（Ｇｙ）、１５５（Ｇｙ）、１６０（Ｇｙ）、１６５（Ｇｙ）、１７０（Ｇｙ）、１７５（Ｇｙ）、１８０（Ｇｙ）、１８５（Ｇｙ）、１９０（Ｇｙ）、１９５（Ｇｙ）、２００（Ｇｙ）、２１０（Ｇｙ）、２１５（Ｇｙ）、２２０（Ｇｙ）、２２５（Ｇｙ）、２３０（Ｇｙ）、２３５（Ｇｙ）、２４０（Ｇｙ）、２４５（Ｇｙ）、２５０（Ｇｙ）、２５５（Ｇｙ）、２６０（Ｇｙ）、２６５（Ｇｙ）、２７０（Ｇｙ）、２７５（Ｇｙ）、２８０（Ｇｙ）、２８５（Ｇｙ）、２９０（Ｇｙ）、２９５（Ｇｙ）、３００（Ｇｙ）、３２０（Ｇｙ）、３２５（Ｇｙ）、３３０（Ｇｙ）、３３５（Ｇｙ）、３４０（Ｇｙ）、３５０（Ｇｙ）、３６０（Ｇｙ）、３６５（Ｇｙ）、３７０（Ｇｙ）、３７５（Ｇｙ）、３８０（Ｇｙ）、３８５（Ｇｙ）、３９０（Ｇｙ）、４００（Ｇｙ）、４２５（Ｇｙ）、４３０（Ｇｙ）、４３５（Ｇｙ）、４４０（Ｇｙ）、４４５（Ｇｙ）、４５０（Ｇｙ）、４６０（Ｇｙ）、４６５（Ｇｙ）、４７０（Ｇｙ）、４７５（Ｇｙ）、４８０（Ｇｙ）、４８５（Ｇｙ）、４９０（Ｇｙ）、４９５（Ｇｙ）、および５００（Ｇｙ）から選択される、請求項１〜７のいずれか一項に記載の方法。
【請求項９】
与えられるＩＲの線量が約１２０（Ｇｙ）である、請求項１〜７のいずれか一項に記載の方法。
【請求項１０】
前記修飾および分泌型ワクチンタンパク質が、ｇｐ９６−Ｉｇをコードする熱ショックタンパク質である、請求項１〜９のいずれか一項に記載の方法。
【請求項１１】
前記細胞が腫瘍細胞である、請求項１〜１０のいずれか一項に記載の方法。
【請求項１２】
前記腫瘍細胞が、肺または膀胱の腫瘍細胞である、請求項１１に記載の方法。
【請求項１３】
前記腫瘍細胞がＶｉａｇｅｎｐｕｍａｔｕｃｅｌ−Ｌ（ＨＳ−１１０）である、請求項１１に記載の方法。
【請求項１４】
前記腫瘍細胞がＶｅｓｉｇｅｎｕｒｔａｃｅｌ−Ｌ（ＨＳ−４１０）である、請求項１１に記載の方法。
【請求項１５】
前記細胞を培養物中で増殖させることをさらに含む、請求項１〜１４のいずれか一項に記載の方法。
【手続補正書】
【提出日】令和3年11月26日(2021.11.26)
【手続補正１】
【補正対象書類名】特許請求の範囲
【補正対象項目名】全文
【補正方法】変更
【補正の内容】
【特許請求の範囲】
【請求項１】
標的細胞に結合する標的部分と、エフェクター結合／調節部分とを含むポリペプチドであって、前記エフェクター結合／調節部分が、ＩＬ−２ムテインポリペプチド（ＩＬ−２ムテイン）であり、前記ＩＬ−２ムテインが、配列番号６０の配列を含み、式中、Ｘ１、Ｘ２、Ｘ３、及び、Ｘ４の少なくとも１つがＩであり、かつ、残りがＬまたはＩである、前記ポリペプチド。
【請求項２】
前記標的部分が、標的細胞の表面の標的タンパク質に結合する抗体を含む、請求項１に記載のポリペプチド。
【請求項３】
前記抗体が、ＭＡｄＣＡＭ、ＯＡＴ１、ＯＣＴ２、ＦＸＹＤ２、ＴＳＰＡＮ７、ＤＰＰ６、ＨＥＰＡＣＡＭ２、ＴＭＥＭ２７、または、ＧＰＲ１１９に結合する抗体である、請求項１に記載のポリペプチド。
【請求項４】
前記化合物は、Ｎ末端からＣ末端に至る式：
Ｒ１−−−リンカー領域Ａ−Ｒ２、または、Ｒ３−リンカー領域Ｂ−Ｒ４、
を有し、
式中、
Ｒ１、Ｒ２、Ｒ３、及び、Ｒ４は、それぞれ独立して、前記エフェクター結合／変調部分、前記標的部分を含み、または、存在しない、請求項１に記載のポリペプチド。
【請求項５】
リンカー領域Ａ、及び、リンカー領域Ｂのそれぞれが、Ｆｃ領域を含む、請求項４に記載のポリペプチド。
【請求項６】
Ｒ１及びＲ２の一方が、ＩＬ−ムテイン抗体であり、かつ、Ｒ１及びＲ２の一方が、抗ＭＡｄＣＡＭ抗体である、請求項５に記載のポリペプチド。
【請求項７】
Ｒ１が、ＩＬ−ムテインであり、かつ、Ｒ２が、抗ＭＡｄＣＡＭ抗体である、請求項４に記載のポリペプチド。
【請求項８】
Ｒ１の一方が、抗ＭＡｄＣＡＭ抗体であり、かつ、１つのＲ２が、抗ＰＤ−１抗体である、請求項４に記載のポリペプチド。
【請求項９】
Ｒ３及びＲ４の一方が、前記ＩＬ−２ムテインであり、かつ、Ｒ３及びＲ４の一方が、抗ＭＡｄＣＡＭ抗体である、請求項４に記載のポリペプチド。
【請求項１０】
Ｒ３が、前記ＩＬ−２ムテインであり、かつ、Ｒ４が、抗ＭＡｄＣＡＭ抗体である、請求項４に記載のポリペプチド。
【請求項１１】
Ｒ３が、抗ＭＡｄＣＡＭ抗体であり、かつ、１つのＲ４が、前記ＩＬ−２ムテインである、請求項４に記載のポリペプチド。
【請求項１２】
前記リンカーが存在しない、請求項４に記載のポリペプチド。
【請求項１３】
前記リンカーが、Ｆｃ領域である、請求項４に記載のポリペプチド。
【請求項１４】
前記リンカーが、グリシン／セリンリンカーである、請求項４に記載のポリペプチド。
【請求項１５】
前記ＩＬ−２ムテインが、配列番号６のＩＬ−２配列を含み、ペプチドが、配列番号６の位置５３、５６、８０、または、１１８に対応する位置に突然変異を含む、請求項１に記載のポリペプチド。
【請求項１６】
前記ポリペプチドが、前記ポリペプチドを形成する第１の鎖、及び、第２の鎖を含み、
前記第１の鎖は、
ＶＨ−ＨＣ−リンカー−Ｃ１を含み、ＶＨが、前記第２の鎖のＶＬドメインを有する前記標的細胞に結合する可変重ドメインであり；ＨＣは、ＣＨ１−ＣＨ２−ＣＨ３ドメインを含む抗体の重鎖であり、前記リンカーは、グリシン／セリンリンカーであり、及び、Ｃ１は、Ｎ末端またはＣ末端のいずれかの方向でＦｃタンパク質に融合したＩＬ−２ムテインであり；及び
前記第２の鎖は；
ＶＬ−ＬＣを含み、ＶＬは、前記第１の鎖のＶＨドメインで前記標的細胞に結合する可変軽鎖ドメインであり、及び、前記ＬＣドメインは、軽鎖ＣＫドメインである、
請求項１に記載のポリペプチド。
【請求項１７】
炎症性腸疾患を有する対象を処置する方法で使用するための、請求項１〜１６のいずれか１項に記載のポリペプチドを含む医薬組成物であって、前記方法が、前記医薬組成物を前記対象に対して投与して、前記炎症性腸疾患を処置することを含む、前記医薬組成物。
【請求項１８】
自己免疫性肝炎を有する対象を処置する方法で使用するための、請求項１〜１６のいずれか１項に記載のポリペプチドを含む医薬組成物であって、前記方法が、前記医薬組成物を前記対象に対して投与して、前記自己免疫性肝炎を処置することを含む、前記医薬組成物。
【請求項１９】
自己免疫疾患を有する対象、または、自己免疫疾患を有するリスクのある対象、または、自己免疫疾患を有するリスクが大きい対象を処置する方法で使用するための、請求項１〜１６のいずれか１項に記載のポリペプチドを含む医薬組成物であって、前記方法が、前記医薬組成物を投与することを含み、それにより、前記対象を処置する、前記医薬組成物。
【請求項２０】
請求項１に記載のポリペプチドをコードする核酸分子を含む細胞。
【手続補正書】
【提出日】令和3年11月18日(2021.11.18)
【手続補正１】
【補正対象書類名】特許請求の範囲
【補正対象項目名】全文
【補正方法】変更
【補正の内容】
【特許請求の範囲】
【請求項１】
シャフトと、
前記シャフトと結合するローターと、
前記ローターの外側に配置されるステーターと、
前記ステーターの上側に配置されるバスバーと、
前記ローターと前記ステーターが配置され、開口を含むハウジングと、
前記ハウジングと結合するカバーと、を含み、
前記カバーは、第１ホール及び第２ホールが形成されるカバープレート部と、前記カバープレート部から下側に延びた側壁と、を含み、
前記シャフトは、前記第１ホールに配置され、
前記バスバーのターミナルは、前記第２ホールを貫通するように配置され、
前記側壁は、外面と、前記外面に形成された複数個の第３溝と、を有する、
モーター。
【請求項２】
前記側壁は、
前記カバープレート部と隣接した上側領域と、
前記上側領域の下に位置する下側領域と、
前記上側領域と前記下側領域の間に形成された段差領域と、を含み、
前記複数個の第３溝は、前記上側領域に形成される、
請求項１に記載のモーター。
【請求項３】
前記カバープレート部は、複数個の第１溝を含み、
前記バスバーは、前記カバープレート部の第１溝と垂直方向に重なる第４溝を含む、
請求項１に記載のモーター。
【請求項４】
前記カバーと前記ハウジングの結合時、前記カバープレート部の第１溝と前記バスバーの第４溝は、前記カバープレート部と前記バスバーの位置をアライメントし、前記バスバーの流動を制限するために利用される、
請求項３に記載のモーター。
【請求項５】
前記複数個の第３溝は、前記側壁の端部から所定の第１間隔（ｄ１）で離隔するように配置される、
請求項１に記載のモーター。
【請求項６】
前記複数個の第３溝は、前記カバープレート部と前記側壁が会う角で所定の第２間隔（ｄ２）で離隔するように配置され、
前記第１間隔（ｄ１）の大きさは、前記第２間隔（ｄ２）の大きさより大きい、
請求項５に記載のモーター。
【請求項７】
前記複数個の第３溝は、
前記カバーの中心（Ｃ）を基準として回転対称となるように配置される、
請求項１に記載のモーター。
【請求項８】
前記ハウジングは、
ハウジングプレート部と、
前記ハウジングプレート部から軸方向に突出した円筒状の側壁部と、
複数個の第２突起と、を含み、
前記第２突起は前記側壁部の内面から突出して形成される、
請求項１に記載のモーター。
【請求項９】
前記第２突起の上面は前記側壁の下面と接触する、
請求項８に記載のモーター。
【請求項１０】
前記側壁は複数個の第１突起を含み、
前記複数個の第３溝は、前記側壁の外周面の一領域から内側に凹むように形成され、
前記第１突起は、加圧によって前記側壁の内周面に形成された、
請求項１に記載のモーター。
【請求項１１】
ハウジングと、
前記ハウジングと結合するカバーと、
前記ハウジングに配置されるローターと、
前記ローターと前記ハウジングの間に配置されるステーターと、
前記ステーターと前記カバーの間に配置されるバスバーと、を含み、
前記カバーは、
第１ガイド溝と第２ガイド溝を含むカバープレート部と、
前記カバープレート部から延長され複数個の第３溝を有する側壁と、を含み、
前記第１ガイド溝は、
前記第２ガイド溝と前記カバーの中心を連結する仮想の直線上に配置される、
モーター。
【請求項１２】
前記複数個の第３溝は３個で形成され得、
前記複数個の第３溝のそれぞれと前記カバーの中心を連結した仮想の線がなす角度は１２０度である、
請求項１１に記載のモーター。
【手続補正書】
【提出日】令和3年11月19日(2021.11.19)
【手続補正１】
【補正対象書類名】特許請求の範囲
【補正対象項目名】全文
【補正方法】変更
【補正の内容】
【特許請求の範囲】
【請求項１】
シャフトと、
前記シャフトと結合するローターであって、
複数個のマグネット及び複数個の離隔空間を含み、各離隔空間は、前記複数個のマグネットのうちの隣接するマグネットの間に位置する、ローターコアと、
前記ローターコアの第１端部と前記複数個のマグネットのそれぞれの第１端部とに重なる第１缶と、
前記ローターコアの第２端部と前記複数個のマグネットのそれぞれの第２端部とに重なる第２缶であって、
前記ローターコアの前記第１端部は、前記ローターコアの第２端部と反対であり、
前記複数個のマグネットのそれぞれの前記第１端部は、前記複数個のマグネットのそれぞれの前記第２端部と反対である、第２缶と、
を含む、ローターと、
前記ローターの外側に配置されるステーターと、を含み、
前記複数個のマグネットは、前記ローターコアの円周方向に離隔し、
前記第１缶は、第１プレート部、前記第１プレート部の縁を折り曲げて形成される第１突出部および前記複数個の離隔空間の少なくとも二つの異なる離隔空間に配置され、離隔した複数個の第１突起を含み、
前記第２缶は、第２プレート部、前記第２プレート部の縁を折り曲げて形成される第２突出部および前記複数個の離隔空間の少なくとも二つの異なる離隔空間に配置され、離隔した複数個の第２突起を含み、
前記第１突起と前記第２突起は、ずれて配列される、モーター。
【請求項２】
前記第１突起と前記第２突起は、前記複数個のマグネットの下面を基準として互いに異なる高さで配置される、請求項１に記載のモーター。
【請求項３】
前記第１突起は、前記第１突出部の端部に形成され、
前記第２突起は、前記第２突出部の端部に形成される、請求項２に記載のモーター。
【請求項４】
前記第１突出部の前記端部は、前記第２突出部の前記端部と接触する、請求項３に記載のモーター。
【請求項５】
前記第１突起は、前記第１突出部の内周面から突出して形成され、
前記第１突出部の外周面には前記第１突起と対応する位置に溝が形成される、請求項１に記載のモーター。
【請求項６】
前記第１突起と前記第２突起との間の間隔は、一定である、請求項１に記載のモーター。
【請求項７】
前記離隔空間は、前記ローターコアの上面から下面まで延びて形成され、
前記第１突起および前記第２突起は、前記離隔空間の両終端より中心に隣接した領域に配置される、請求項１に記載のモーター。
【請求項８】
前記ローターコアは、前記複数個のマグネットを収容する複数個の収容部を含み、
前記複数個の収容部の少なくとも一つは、溝が形成される面を含む、請求項１に記載のモーター。
【請求項９】
前記ローターコアは、その外周面から外側に延びて形成された複数個のガイドを含み、
前記複数個のガイドのそれぞれは、前記複数個の離隔空間のそれぞれに配置され、
前記収容部は、前記複数個のガイドの間の領域と定義される、請求項８に記載のモーター。
【請求項１０】
前記収容部の前記溝は、前記ローターコアの上面から前記ローターコアの下面まで延びて形成され、前記ガイドに隣接するように配置される、請求項９に記載のモーター。
【手続補正書】
【提出日】令和3年11月11日(2021.11.11)
【手続補正１】
【補正対象書類名】明細書
【補正対象項目名】００６７
【補正方法】変更
【補正の内容】
【００６７】
（参考文献）
【化１２】
2021505190.tif 000001
本件出願は、以下の態様の発明を提供する。
（態様１）
（CDR）
（化１）
2021505190.tif 000002
又はいずれかのCDR（すなわち、配列番号：1又は2）と少なくとも88%の同一性を共有しているCDRを含む、又はこれらからなる少なくとも1つの相補性決定領域を特徴とする、腫瘍特異的T細胞受容体（TCR）又はその断片。
（態様２）
前記CDRの両方を含む、態様1記載の腫瘍特異的T細胞受容体（TCR）。
（態様３）
以下の相補性決定領域：
（化２）
2021505190.tif 000003
の任意の組合わせを含む1以上を含む、又はこれらからなる、態様1又は2記載の腫瘍特異的T細胞受容体（TCR）。
（態様４）
（化３）
2021505190.tif 000004
を含む、若しくはこれからなるγ鎖、又はそれと少なくとも88%の同一性を共有するγ鎖である、態様1〜3のいずれか1項記載の腫瘍特異的T細胞受容体（TCR）。
（態様５）
（化４）
2021505190.tif 000005
を含む、若しくはこれからなるδ鎖、又はそれと少なくとも88%の同一性を共有するδ鎖である、態様1〜3のいずれか1項記載の腫瘍特異的T細胞受容体（TCR）。
（態様６）
前記TCRの前記CDRが、さらに、又は代わりに、
（化５）
2021505190.tif 000006
であるγ鎖配列；並びに/又は
（化６）
2021505190.tif 000007
であるδ鎖配列；又は該γ鎖配列若しくは該δ鎖配列と少なくとも88%の同一性を共有するCDRを含む、又はこれらからなる、態様1〜5のいずれか1項記載の腫瘍特異的T細胞受容体（TCR）。
（態様７）
可溶性である、態様1〜6のいずれか1項記載の腫瘍特異的T細胞受容体（TCR）。
（態様８）
態様1〜7のいずれか1項記載のTCRを発現するT細胞。
（態様９）
態様1〜7のいずれか1項記載のTCRを発現するT細胞クローン。
（態様１０）
SW.3G1クローンである、態様9記載のT細胞クローン。
（態様１１）
態様1〜7のいずれか1項記載のTCRをコードするベクター。
（態様１２）
態様1〜7のいずれか1項記載のTCRを含む医薬組成物若しくは免疫原性物質若しくは二重特異性若しくはワクチン、又は態様8記載の細胞、又は態様9若しくは10記載のクローン、又は態様11記載のベクター。 
（態様１３）
癌の治療における使用のための、態様1〜7のいずれか1項記載のTCR、又は態様8記載の細胞、又は態様9若しくは10記載のクローン、又は態様11記載のベクター、又は態様12記載の医薬組成物若しくは免疫原性物質若しくは二重特異性若しくはワクチン。
（態様１４）
前記癌が、結腸直腸癌、肺癌、腎癌、前立腺癌、膀胱癌、子宮頚癌、黒色腫（皮膚）、骨癌、乳癌、血液癌、脳癌、膵癌、精巣癌、卵巣癌、頭頚部癌、肝癌、膀胱癌、甲状腺癌、及び子宮癌を含む、又はこれらからなる群から選択される、態様13記載のTCR、細胞、クローン、ベクター、又は医薬組成物若しくは免疫原性物質若しくは二重特異性若しくはワクチン。
（態様１５）
癌を治療する方法であって、態様1〜7のいずれか1項記載のTCR、又は態様8記載の細胞、又は態様9若しくは10記載のクローン、又は態様11記載のベクター、又は態様12記載の医薬組成物若しくは免疫原性物質若しくは二重特異性若しくはワクチンを、治療すべき個体に投与することを含む、前記方法。
（態様１６）
前記癌が、結腸直腸癌、肺癌、腎癌、前立腺癌、膀胱癌、子宮頚癌、黒色腫（皮膚）、骨癌、乳癌、血液癌、脳癌、膵癌、精巣癌、卵巣癌、頭頚部癌、肝癌、膀胱癌、甲状腺癌、及び子宮癌を含む、又はこれらからなる群から選択される、態様15記載の方法。
（態様１７）
前記TCR、細胞、クローン、ベクター、医薬組成物、免疫原性物質、二重特異性、又はワクチンを、抗腫瘍剤と組み合わせて投与する、態様15又は16記載の方法。
（態様１８）
癌の治療のための医薬の製造における、態様1〜7のいずれか1項記載のTCR、又は態様8記載の細胞、又は態様9若しくは10記載のクローン、又は態様11記載のベクターの使用。
（態様１９）
a) 態様1〜7のいずれか1項記載のTCR、又は態様8記載の細胞、又は態様9若しくは10記載のクローン、又は態様11記載のベクター、又は態様12記載の医薬組成物若しくは免疫原性物質若しくは二重特異性若しくはワクチンを；
b) さらなる癌治療剤と組み合わせて含む、癌の治療のための組合わせ治療薬。
（態様２０）
図9に示す少なくとも1つのSCNNA1遺伝子産物のアイソフォームと結合する、TCR又はポリペプチド又は二重特異性又は抗体又は該抗体の断片。
（態様２１）
前記アイソフォームの細胞外ドメインと結合する、態様20記載のTCR又はポリペプチド又は二重特異性又は抗体又は該抗体の断片。
（態様２２）
前記抗体がモノクローナルである、態様20又は21記載のTCR又はポリペプチド又は二重特異性又は抗体又は該抗体の断片。
（態様２３）
態様1〜7のいずれか1項記載のTCRと結合する、図9に示す少なくとも1つのSCNNA1遺伝子産物のアイソフォーム又はその断片。
（態様２４）
実質的に本明細書及び特許請求の範囲に記載されている、TCR、細胞、クローン、ベクター、医薬組成物、免疫原性物質、二重特異性、若しくはワクチン、又はポリペプチド、若しくは抗体、若しくは該抗体の断片。
【手続補正書】
【提出日】令和3年12月3日(2021.12.3)
【手続補正１】
【補正対象書類名】特許請求の範囲
【補正対象項目名】全文
【補正方法】変更
【補正の内容】
【特許請求の範囲】
【請求項１】
エアロゾル発生基体のロッドを備える加熱式エアロゾル発生物品であって、エアロゾル発生基体の前記ロッドが、
エアロゾル形成体を含む均質化したたばこ材料の第一のプラグと、
エアロゾル形成体を含む均質化したたばこ材料の第二のプラグとを備え、前記第一のプラグおよび前記第二のプラグが隣接する端と端を接した関係で同軸に整列されていて、前記第一のプラグが前記第二のプラグの下流に提供されていて、前記第一のプラグが前記第二のプラグよりも低い活性化温度を有し、それによって前記エアロゾル発生基体の加熱に伴って前記第一のプラグが前記第二のプラグよりも短い時間の後にエアロゾルを放出するように、前記第一のプラグおよび前記第二のプラグが密度およびエアロゾル形成体の組成のうち少なくとも一つにおいて相互に異なる、加熱式エアロゾル発生物品。
【請求項２】
前記第二のプラグが前記第一のプラグよりも高い密度を有する、請求項１に記載の加熱式エアロゾル発生物品。
【請求項３】
前記第二のプラグの密度が、前記第一のプラグの密度よりも少なくとも１０パーセント高く、２０パーセント高いことがより好ましい、請求項２に記載の加熱式エアロゾル発生物品。
【請求項４】
前記第二のプラグの密度が、前記第一のプラグの密度よりも少なくとも０．１ｍｇ／立方ミリメートル高く、少なくとも０．２ｍｇ／立方ミリメートル高いことがより好ましい、請求項２または３に記載の加熱式エアロゾル発生物品。
【請求項５】
前記第二のプラグの密度が０．６５ｍｇ／立方ミリメートル〜０．８５ｍｇ／立方ミリメートルであり、前記第一のプラグの密度が０．４５ｍｇ／立方ミリメートル〜０．６５ｍｇ／立方ミリメートルである、請求項２、３または４に記載の加熱式エアロゾル発生物品。
【請求項６】
前記第二のプラグが前記第一のプラグよりも高い引き出し抵抗を有する、請求項１〜５のいずれか一項に記載の加熱式エアロゾル発生物品。
【請求項７】
前記第一のプラグおよび前記第二のプラグのそれぞれがエアロゾル形成体を含み、前記第一のプラグのエアロゾル形成体の組成が、前記第二のプラグのエアロゾル形成体の組成と異なる、請求項１〜６のいずれか一項に記載の加熱式エアロゾル発生物品。
【請求項８】
前記第一のプラグおよび前記第二のプラグのそれぞれが、グリセロールを含むエアロゾル形成体を含み、前記第二のプラグのグリセロール含有量が、乾燥質量基準で前記第一のプラグのグリセロール含有量よりも少なくとも２重量パーセント高く、少なくとも５重量パーセント高いことがより好ましい、請求項７に記載の加熱式エアロゾル発生物品。
【請求項９】
少なくとも前記第一のプラグの前記エアロゾル形成体がプロピレングリコールをさらに含み、前記第一のプラグのプロピレングリコールの含有量が、乾燥質量基準で前記第二のプラグのプロピレングリコール含有量よりも少なくとも２重量パーセント高い、請求項７または８に記載の加熱式エアロゾル発生物品。
【請求項１０】
前記第二のプラグが、乾燥質量基準で１５重量パーセントを超えるグリセロールおよび４パーセント以下のプロピレングリコールを含み、前記第一のプラグが、乾燥質量基準で１５重量パーセント以下のグリセロールおよび少なくとも５重量パーセントのプロピレングリコールを含む、請求項８または９に記載の加熱式エアロゾル発生物品。
【請求項１１】
前記第二のプラグが、乾燥質量基準で１７〜２５重量パーセントのグリセロールおよび０〜４重量パーセントのプロピレングリコールを含み、前記第一のプラグが、乾燥質量基準で５〜１５重量パーセントのグリセロールおよび５〜１５重量パーセントのプロピレングリコールを含む、請求項１０に記載の加熱式エアロゾル発生物品。
【請求項１２】
均質化したたばこ材料の前記プラグのそれぞれが、乾燥質量基準で１５重量パーセント〜２５重量パーセントのエアロゾル形成体を含む、請求項８〜１１のいずれか一項に記載の加熱式エアロゾル発生物品。
【請求項１３】
均質化したたばこ材料の前記プラグの少なくとも一つが、均質なたばこ材料の一つ以上のシートから形成されている、請求項１〜１２のいずれか一項に記載の加熱式エアロゾル発生物品。
【請求項１４】
エアロゾル発生システムであって、
請求項１〜１３のいずれか一項に記載のエアロゾル発生物品と、
前記エアロゾル発生物品を受容するように適合されたエアロゾル発生装置とを備え、前記エアロゾル発生装置が、使用中に均質化したたばこ材料の前記第一のプラグおよび前記第二のプラグの両方を加熱するように構成されたヒーター要素を備え、前記ヒーター要素による前記エアロゾル発生基体の加熱に伴って、前記第一のプラグが均質化したたばこ材料の前記第二のプラグよりも速くエアロゾルを放出する、エアロゾル発生システム。
【請求項１５】
前記ヒーター要素が、使用中に前記第一のプラグおよび前記第二の放出プラグの中に挿入されるように構成されたヒーターブレードである、請求項１４に記載のエアロゾル発生システム。
【請求項１６】
請求項１〜１５のいずれか一項に記載のエアロゾル発生物品のためのエアロゾル発生基体のロッドを少なくとも部分的に製造する方法であって、前記方法が、
エアロゾル形成体を含む均質化したたばこ材料の第一のプラグを提供する工程と、
エアロゾル形成体を含む均質化したたばこ材料の第二のプラグを提供する工程であって、前記第一のプラグが前記第二のプラグよりも低い活性化温度を有し、それによって前記エアロゾル発生基体の加熱に伴って前記第一のプラグが前記第二のプラグよりも短い時間の後にエアロゾルを放出するように、前記密度および前記エアロゾル形成体の組成のうち少なくとも一つにおいて前記第二のプラグが前記第一のプラグと異なる、工程と、
前記第一のプラグおよび前記第二のプラグが隣接する端と端を接した関係で同軸に整列されるように、かつ前記第一のプラグが前記第二のプラグの下流に配設されるように、前記第一のプラグおよび前記第二のプラグを組み合わせる工程と、
前記組み合わされた第一のプラグおよび第二のプラグを包装して、エアロゾル発生基体のロッドを形成する工程とを含む、方法。
【請求項１７】
エアロゾル発生物品内のエアロゾル発生基体として使用するためのロッドであって、前記ロッドが、
エアロゾル形成体を含む均質化したたばこ材料の第一のプラグと、
エアロゾル形成体を含む均質化したたばこ材料の第二のプラグとを備え、前記第一のプラグおよび前記第二のプラグが隣接する端と端を接した関係で同軸に整列されていて、前記第一のプラグが前記第二のプラグの下流に提供されていて、前記第一のプラグが前記第二のプラグよりも低い活性化温度を有し、それによって使用中のロッドの加熱に伴って前記第一のプラグが前記第二のプラグよりも短い時間の後にエアロゾルを放出するように、前記第一のプラグおよび前記第二のプラグが前記密度および前記エアロゾル形成体の組成のうち少なくとも一つにおいて相互に異なる、ロッド。
【手続補正書】
【提出日】令和3年11月29日(2021.11.29)
【手続補正１】
【補正対象書類名】特許請求の範囲
【補正対象項目名】全文
【補正方法】変更
【補正の内容】
【特許請求の範囲】
【請求項１】
アンチセンスオリゴヌクレオチド、ならびに薬学的に許容される希釈剤、溶媒、担体、塩および／または賦形剤を含み、
前記オリゴヌクレオチドが、配列番号２、配列番号１、配列番号３、配列番号４、または配列番号５の核酸配列の連続した部分に少なくとも９８％の相補性を有する１０〜３０個のヌクレオチド長の連続したヌクレオチド配列を含む、薬学的組成物。
【請求項２】
前記オリゴヌクレオチドが、配列番号６、７、８、９、１０、または１１からなる群から選択される配列を含む、請求項１に記載の薬学的組成物。
【請求項３】
１つ以上の修飾されたヌクレオシドを含む、請求項１または２に記載の薬学的組成物。
【請求項４】
前記１つ以上の修飾されたヌクレオシドが、２’糖修飾されたヌクレオシドである、請求項３に記載の薬学的組成物。
【請求項５】
前記１つ以上の２’糖修飾されたヌクレオシドが、２’−Ｏ−アルキル−ＲＮＡ、２’−Ｏ−メチル−ＲＮＡ、２’−アルコキシ−ＲＮＡ、２’−Ｏ−メトキシエチル−ＲＮＡ、２’−アミノ−ＤＮＡ、２’−フルオロ−ＤＮＡ、アラビノ核酸（ＡＮＡ）、２’−フルオロ−ＡＮＡ、およびＬＮＡヌクレオシドからなる群から独立して選択される、請求項４に記載の薬学的組成物。
【請求項６】
前記１つ以上の修飾されたヌクレオシドが、ＬＮＡヌクレオシドである、請求項５に記載の薬学的組成物。
【請求項７】
前記薬学的組成物が、少なくとも１つの修飾されたヌクレオシド間結合を含む、請求項１に記載のオリゴヌクレオチド。
【請求項８】
前記連続したヌクレオチド配列内の前記ヌクレオシド間結合が、ホスホロチオエートヌクレオシド間結合である、請求項７に記載の薬学的組成物。
【請求項９】
前記オリゴヌクレオチドが、ＲＮアーゼＨをリクルートすることができる、請求項１に記載の薬学的組成物。
【請求項１０】
前記オリゴヌクレオチドが、ギャップマーである、請求項９に記載の薬学的組成物。
【請求項１１】
前記オリゴヌクレオチドが、配列番号３６２〜３９２からなる群から選択される核酸配列を有する、請求項１０に記載の薬学的組成物。
【請求項１２】
前記アンチセンスオリゴヌクレオチドが、配列番号６７〜１１５からなる群から選択される核酸配列を含む、請求項１に記載の薬学的組成物。
【請求項１３】
前記アンチセンスオリゴヌクレオチドが、配列番号８９の核酸配列を含む、請求項１２に記載の薬学的組成物。
【請求項１４】
前記アンチセンスオリゴヌクレオチドが、配列番号３６５、３７１、３７２、３７３、３７４、３７５、３７６、３７７、３７８、３７９、３８０、３８１、３８２、および３８３からなる群から選択される、請求項１に記載の薬学的組成物。
【請求項１５】
前記アンチセンスオリゴヌクレオチドが、配列番号１８〜６６からなる群から選択される核酸配列に対して相補的である、請求項１に記載の薬学的組成物。
【請求項１６】
前記アンチセンスオリゴヌクレオチドが、配列番号４０の核酸配列に対して相補的である、請求項１５に記載の薬学的組成物。
【手続補正書】
【提出日】令和3年12月2日(2021.12.2)
【手続補正１】
【補正対象書類名】特許請求の範囲
【補正対象項目名】全文
【補正方法】変更
【補正の内容】
【特許請求の範囲】
【請求項１】
アリル酸化プロセスであって、以下：
α−グアイエンおよび鉄（ＩＩＩ）−Ｘポルフィリン錯体触媒を含有する混合物をサステナブル溶媒中に形成すること、
ここでＸは、Ｃｌ、Ｂｒ、Ｉ、メシラート、トリフラート、およびカルボキシラートからなる群から選択され、
分子酸素を混合物中へ導入すること、ならびに
アリル酸化を生じさせ、α，β−不飽和ケトンであるロタンドンを生成すること、
を含む、前記プロセス。
【請求項２】
サステナブル溶媒が、水、アセトン、エタノール、２−プロパノール、酢酸エチル、イソプロピルアセタート、メタノール、メチルエチルケトン、１−ブタノール、ｔ−ブタノールおよびそれらの混合物からなる群から選択される、請求項１に記載のプロセス。
【請求項３】
サステナブル溶媒が、シクロヘキサン、ヘプタン、トルエン、メチルシクロヘキサン、メチルｔ−ブチルエーテル、イソオクタン、アセトニトリル、キシレン、ジメチルスルホキシド、酢酸、エチレングリコールおよびそれらの混合物からなる群から選択される、請求項１または２に記載のプロセス。